(57)【特許請求の範囲】
【請求項１】
一端側を吊り荷に取り付けられる介錯ロープと、前記介錯ロープの中間部に取り付けられたロープ附属リングと、警報器と、前記警報器側に取り付けられており、前記ロープ附属リングに取り外し可能に接続されるスナップフックと、前記警報器を収容する網袋とを有してなり、
前記ロープ附属リングは、該ロープ附属リングに前記介錯ロープを通した上、該ロープ附属リングが結び目内に取り込まれて該結び目を貫通している状態となるようにして前記介錯ロープに結び目を作ることにより前記介錯ロープに取り付けられており、
前記警報器は、前記スナップフックを前記ロープ附属リングに接続することにより前記介錯ロープに取り外し可能に取り付けられるようになっており、
前記網袋は、前記警報器を収容した状態で、前記スナップフックおよび前記ロープ附属リングを介して前記介錯ロープに取り外し可能に取り付けられるようになっており、
前記警報器は、手動スイッチを有し、この手動スイッチのオン・オフにより警報音の発生と停止を操作されるようになっている吊り荷警報装置。
【請求項２】
請求項１記載の吊り荷警報装置を用意する段階と、
吊り荷に前記介錯ロープの一端側を取り付ける段階と、
前記スナップフックを前記ロープ附属リングに接続することにより前記介錯ロープに前記警報器を取り外し可能に取り付けるとともに、前記手動スイッチをオンにして前記警報器が警報音を発生している状態にする段階と、
前記吊り荷を吊り上げ移動する段階と、
前記吊り荷が目的の位置に到達した後、前記介錯ロープを掴んで誘導し、前記警報器の手動スイッチをオフにして前記警報器に警報音の発生を終了させる段階と、
前記スナップフックを前記ロープ附属リングから外すことにより前記網袋とともに前記警報器を前記介錯ロープから取り外す段階と、
前記網袋とともに前記警報器を前記介錯ロープから取り外す段階の後、前記吊り荷の荷解き作業を行う段階とを有してなる吊り荷の吊り上げ移動方法。
【発明の詳細な説明】
【技術分野】
【０００１】
本発明は、クレーン等の揚重機により吊り荷を吊り上げ移動する際、警報音を発生して注意を喚起する吊り荷警報装置および吊り荷の吊り上げ移動方法に関する。
【背景技術】
【０００２】
従来より、クレーン等の揚重機により吊り荷を吊り上げ移動する際、吊り荷下周辺の作業者等に警報音を発生して注意を喚起する警報器として、揚重機のフックに取り付けられるものがよく知られている（例えば、特許文献１）。しかしながら、揚重機のフックの形状は様々であるため、１つの警報装置で様々な形状のフックに対応させることはできないという問題があった。
【０００３】
また、従来、この種の警報器として、無線遠隔制御により警報音を発生させるものが知られている（例えば、特許文献１）。しかしながら、このように無線遠隔制御される警報器は、コストが高くなるとともに、故障が発生しやすいという問題があった。
【０００４】
また、特許文献２には、手動スイッチにより警報音の発生・停止を操作されるようになっているとともに、吊り荷の下部に取り付けられる警報器が開示されているが、この特許文献２に記載の警報器においては、吊り荷の移動先で荷受け者（玉外し者）が警報器の手動スイッチをオフして警報音を止めたり、警報器を取り外す際に、吊り荷の間近に接近せざるを得ず、安全上問題があった。特に、荷受け者は、吊り荷移動完了後はなるべく早く警報音を止めたいので、吊り荷の動きが完全になくなる前に吊り荷に接近してしまい、吊り荷にはねられてしまう虞があるという大きな問題があった。
【０００５】
また、警報器が吊り荷の下敷きになって破損してしまう虞があるという問題もあった。
【０００６】
さらに、吊り荷の移動中に警報器が他の物体にぶつかって破損してしまった場合、破片が周囲に飛び散り危険であるという問題もあった。
【先行技術文献】
【特許文献】
【０００７】
【特許文献１】特開平６−５６３８５号公報
【特許文献２】実用新案登録第３１０２５２４号公報
【発明の概要】
【発明が解決しようとする課題】
【０００８】
本発明は、このような従来の事情に鑑みてなされたもので、本発明の目的の一つは、荷受け者が吊り荷から一定以上に離れた安全な位置で、警報器の手動スイッチをオフして警報音を止めるとともに、警報器を取り外すことができる吊り荷警報装置および吊り荷の吊り上げ移動方法を提供することにある。
【０００９】
本発明の他の目的は、警報器が吊り荷の下敷きになって破損する虞がない吊り荷警報装置および吊り荷の吊り上げ移動方法を提供することにある。
【００１０】
本発明の他の目的は、吊り荷の移動中に警報器が他の物体にぶつかって破損してしまっても、破片が周囲に飛び散ってしまう虞がない吊り荷警報装置および吊り荷の吊り上げ移動方法を提供することにある。
【００１１】
本発明の他の目的は、どんな形状のフックを有する揚重機にも対応できる吊り荷警報装置および吊り荷の吊り上げ移動方法を提供することにある。
【００１２】
本発明の他の目的は、製造コストを安価にできるとともに、故障が生じにくく、信頼性が高い吊り荷警報装置および吊り荷の吊り上げ移動方法を提供することにある。
【００１３】
本発明のさらに他の目的は、以下の説明から明らかになろう。
【課題を解決するための手段】
【００１４】
本発明による吊り荷警報装置は、
一端側を吊り荷に取り付けられる介錯ロープと、前記介錯ロープの中間部に取り付けられたロープ附属リングと、警報器と、前記警報器側に取り付けられており、前記ロープ附属リングに取り外し可能に接続されるスナップフックと、前記警報器を収容する網袋とを有してなり、
前記ロープ附属リングは、該ロープ附属リングに前記介錯ロープを通した上、該ロープ附属リングが結び目内に取り込まれて該結び目を貫通している状態となるようにして前記介錯ロープに結び目を作ることにより前記介錯ロープに取り付けられており、
前記警報器は、前記スナップフックを前記ロープ附属リングに接続することにより前記介錯ロープに取り外し可能に取り付けられるようになっており、
前記網袋は、前記警報器を収容した状態で、前記スナップフックおよび前記ロープ附属リングを介して前記介錯ロープに取り外し可能に取り付けられるようになっており、
前記警報器は、手動スイッチを有し、この手動スイッチのオン・オフにより警報音の発生と停止を操作されるようになっているものである。
【００１５】
また、本発明による吊り荷の吊り上げ移動方法は、
前段落に記載の吊り荷警報装置を用意する段階と、
吊り荷に前記介錯ロープの一端側を取り付ける段階と、
前記スナップフックを前記ロープ附属リングに接続することにより前記介錯ロープに前記警報器を取り外し可能に取り付けるとともに、前記手動スイッチをオンにして前記警報器が警報音を発生している状態にする段階と、
前記吊り荷を吊り上げ移動する段階と、
前記吊り荷が目的の位置に到達した後、前記介錯ロープを掴んで誘導し、前記警報器の手動スイッチをオフにして前記警報器に警報音の発生を終了させる段階と、
前記スナップフックを前記ロープ附属リングから外すことにより前記網袋とともに前記警報器を前記介錯ロープから取り外す段階と、
前記網袋とともに前記警報器を前記介錯ロープから取り外す段階の後、前記吊り荷の荷解き作業を行う段階とを有してなるものである。
【００１６】
本発明においては、警報器が吊り荷に直接取り付けられるのではなく、介錯ロープに取り付けられるので、荷受け者が吊り荷から一定以上に離れた安全な位置で、警報器の手動スイッチをオフして警報音を止めるとともに警報器を吊り荷から取り外すことができる。
【００１７】
また、本発明においては、警報器が吊り荷に直接取り付けられるのではなく、介錯ロープに取り付けられるので、警報器が吊り荷の下敷きになって破損する虞がない。
【００１８】
また、警報器をフックに取り付けないので、どんな形状のフックを有する揚重機にも対応できる。
【００１９】
また、本発明においては、無線遠隔操作によらず、手動スイッチにより警報器の警報音の発生および停止が操作されるので、警報器の製造コストを安価にできるとともに、故障が生じにくく、警報装置の信頼性が高くなる。
【００２０】
また、介錯ロープの中間部にロープ附属リングを取り付けておき、警報器側に取り付けられた取付具をロープ附属リングに取り外し可能に接続することにより、警報器を介錯ロープに取り付けることができるようにしているので、介錯ロープに対する警報器の取り付けおよび取り外しを簡単迅速に行うことができる。
【００２１】
また、ロープ附属リングに介錯ロープを通した上、該ロープ附属リングが結び目内に取り込まれて該結び目を貫通している状態となるようにして介錯ロープに結び目を作ることにより、介錯ロープにロープ附属リングが取り付けられるようにしているので、結び目の位置を変えることにより、介錯ロープに対するロープ附属リングの取付位置を適宜変更できる。
【００２２】
また、警報器を網袋に収容し、この網袋を介錯ロープに取り付けるので、万一、吊り荷の移動中に警報器が他の物体にぶつかって破損してしまっても、介錯ロープに取り付けられている網袋内に破片が止まり、破片が周囲に飛び散ってしまう虞がなく、より安全である。
【発明の効果】
【００２３】
本発明の吊り荷警報装置は、
（イ）吊り荷が目的の場所に到達したとき、荷受け者が吊り荷から一定以上に離れた安全な位置で、警報器の手動スイッチをオフして警報音を止めるとともに警報器を吊り荷から取り外すことができる、
（ロ）警報器が吊り荷の下敷きになって破損する虞がない、
（ハ）どんな形状のフックを有する揚重機にも対応できる、
（ニ）警報器の製造コストを安価にできるとともに、故障が生じにくく、警報装置の信頼性が高くなる、
（ホ）介錯ロープの中間部にロープ附属リングを取り付けておき、警報器側に取り付けられた取付具をロープ附属リングに取り外し可能に接続することにより、警報器を介錯ロープに取り付けることができるようにしているので、介錯ロープに対する警報器の取り付けおよび取り外しを簡単迅速に行うことができる、
（ヘ）ロープ附属リングに介錯ロープを通した上、該ロープ附属リングが結び目内に取り込まれて該結び目を貫通している状態となるようにして介錯ロープに結び目を作ることにより、介錯ロープにロープ附属リングが取り付けられるようにしているので、結び目の位置を変えることにより、介錯ロープに対するロープ附属リングの取付位置を適宜変更できる、
（ト）警報器を網袋に収容し、この網袋を前記介錯ロープに取り付けるので、万一、吊り荷の移動中に警報器が他の物体にぶつかって破損してしまっても、破片が周囲に飛び散ってしまう虞がない、
等の優れた効果を得られるものである。
【図面の簡単な説明】
【００２４】
【図１】本発明の吊り荷警報装置の一実施例における警報器を示す斜視図である。
【図２】前記警報器を示す正面図である。
【図３】前記警報器を示す底面図である。
【図４】前記警報器の電気系統を示すブロック図である。
【図５】前記実施例における網袋を示す斜視図である。
【図６】前記実施例において警報器を網袋内に収容した状態を示す正面図である。
【図７】前記実施例における介錯ロープを示す正面図である。
【図８】図７の介錯ロープのロープ附属リング取付部付近の拡大図である。
【図９】前記ロープ附属リングを示す側面図である。
【図１０】前記実施例における吊り荷の吊り上げ移動作業において、玉掛者が介錯ロープに警報器を取り付け、手動スイッチをオンにする段階を示す作業説明図である。
【図１１】前記実施例における吊り荷の吊り上げ移動作業において、吊り荷が移動中、警報器が警報音を発生して周囲に注意を喚起している段階を示す作業説明図である。
【図１２】前記実施例における吊り荷の吊り上げ移動作業において、吊り荷が目的の場所に到達した後、荷受け者が介錯ロープを誘導して、警報器の手動スイッチをオフにする段階を示す作業説明図である。
【図１３】前記実施例における吊り荷の吊り上げ移動作業において、荷受け者が警報器を腰に付け替えて荷解きの作業を行う段階を示す作業説明図である。
【発明を実施するための形態】
【００２５】
以下、本発明を図面に示す実施例に基づいて説明する。
【実施例１】
【００２６】
図１〜１３は本発明の一実施例を示し、このうち図１〜３は本実施例における吊り荷警報装置１のうちの警報器２および吊り下げリング３を示している。前記警報器２は、プラスチックからなる下側ケース４と、この下側ケース４に螺合されたプラスチックからなる上側ケース５とを有しており、前記下側ケース４には手動スイッチ６およびＬＥＤランプ７が、それらの一部が外部に露出するようにして取り付けられている。また、前記下側ケース４および上側ケース５内には、図４に示される電気系統およびこの電気系統の電源となる乾電池（図示せず）が収容されている。前記吊り下げリング３は、適当数（図では３個）のリング３ａ〜３ｃを直列に連結させてなる。前記上側ケース５の上端部には、逆Ｕ字状をなす吊り下げリング支持体８が取り付けられており、この吊り下げリング支持体８には吊り下げリング３のうちの下端のリング３ｃが接続されている。
【００２７】
次に、図４のブロック図を用いて、前記電気系統について説明する。手動スイッチ６がオンされると、制御部９はＬＥＤランプ７を点灯させるとともに、警報信号出力部１０に「吊り荷が移動中です！御注意下さい！」という音声警報音の信号と非音声警報音の信号とを交互に出力させ、これらの信号が増幅部１１で増幅されてスピーカー１２に入力される。これにより、手動スイッチ６がオンされると、スピーカー１２から「吊り荷が移動中です！御注意下さい！」という音声警報音と、非音声警報音とが交互に出力される。なお、前記スピーカー１２は、図２の一点鎖線で示されるように、下側ケース４に下方に向けて取り付けられている。
【００２８】
図５は、本実施例における網袋１３を示している。この網袋１３は、網袋本体１４と、締め紐１５と、従来公知の締め具１６と、吊り紐１７とを有してなる。前記網袋本体１４には該網袋本体１４の開口部１８に沿って該開口部１８を一周するように紐収容部１９が縫製されており、この紐収容部１９に前記締め紐１５が通されている。前記締め紐１５は両端部を互いに結び合わされることにより、ループ状とされている。そして、前記締め具１６には、締め紐１５のうちの紐収容部１９から引き出されている部分が挿通されており、締め紐１５に沿って締め具１６を移動させることにより、開口部１８を大きく開けたり、小さく絞った状態に固定することができるようになっている。
【００２９】
使用時には、警報器２は図６のように網袋１３の網袋本体１４内に収容される。警報器２を網袋本体１４内に入れるときは、締め紐１５が緩む向きに締め具１６を移動して開口部１８を大きくし、警報器２が網袋本体１４内に完全に収容されたならば、締め紐１５が締まる向きに締め具１６を移動して開口部１８を小さくし、網袋本体１４から警報器２が外部に飛び出さないようにする。また、警報器２の吊り下げリング３のうちの上端のリング３ａおよび網袋１３の吊り紐１７の両方に、スナップフックからなる取付具２０を接続する。
【００３０】
図７は、本実施例における介錯ロープ２１を示している。この介錯ロープ２１の一端部にはフック２２が取り付けられており、該介錯ロープ２１は一端側をフック２２により吊り荷２３に取り外し可能に取り付けられるようになっている。前記介錯ロープ２１の中間部には、ロープ附属リング２４が取り付けられている。さらに詳しく言うと、このロープ附属リング２４は、図８によく示されるように、該ロープ附属リング２４に介錯ロープ２１を通した上、該ロープ附属リング２４が結び目２５内に取り込まれて結び目２５を貫通している状態となるようにして固結びで結び目２５を作ることにより、介錯ロープ２１に取り付けられている。
【００３１】
次に、本実施例における吊り荷２３の吊り上げ移動作業を図１０〜１３を用いて説明する。
【００３２】
まず、図１０のように、玉掛者２６がクレーン等の揚重機（図示せず）のフック２８に吊り荷２３を吊り下げるとともに、介錯ロープ２１のフック２２を吊り荷２３に掛けることにより介錯ロープ２１の一端側を吊り荷２３に取り付けた後、取付具２０をロープ附属リング２４に接続することにより取付具２０および吊り下げリング３を介して介錯ロープ２１の中間部に警報器２を取り付けて吊り下げる。なお、このように介錯ロープ２１に警報器２を取り付ける際、既に述べたように警報器２は図６のように網袋１３内に収容した状態としておき、取付具２０に警報器２の吊り下げリング３と網袋１３の吊り紐１７との両方が接続された状態としておく。続いて、玉掛者２６が警報器２の手動スイッチ６をオンにする。これにより、警報器２は、スピーカー１２から「吊り荷２３が移動中です！御注意下さい！」という音声警報音と非音声警報音とを交互に発生し続けるようになる。
【００３３】
次に、揚重機の運転者（図示せず）が揚重機を運転して、図１１のように吊り荷２３の吊り上げおよび移動を行う。この吊り荷２３の吊り上げおよび移動の間、前記音声警報音および非音声警報音が交互に周囲の作業員等に注意を喚起し続ける。
【００３４】
吊り荷２３が目的の場所に到達したなら、図１２のように荷受け者２７は介錯ロープ２１を掴んで誘導し、警報器２の手動スイッチ６をオフにし、前記音声警報音および非音声警報音を止める。
【００３５】
次に、荷受け者２７は、図１３のように警報器２を腰に付け替えてから、荷解きの作業を行う。
【００３６】
本吊り荷警報装置１および吊り荷２３の吊り上げ移動方法においては、警報器２が吊り荷２３に直接取り付けられるのではなく、介錯ロープ２１に取り付けられるので、荷受け者２７が吊り荷２３から一定以上に離れた安全な位置で、警報器２の手動スイッチ６をオフして警報音を止めるとともに警報器２を吊り荷２３から取り外すことができる。
【００３７】
また、警報器２が吊り荷２３に直接取り付けられるのではなく、介錯ロープ２１に取り付けられるので、警報器２が吊り荷２３の下敷きになって破損する虞がない。
【００３８】
また、警報器２を揚重機のフック２８に取り付けないので、どんな形状のフックを有する揚重機にも対応できる。
【００３９】
また、無線遠隔操作によらず、手動スイッチ６により警報器２の警報音の発生および停止が操作されるので、警報器２の製造コストを安価にできるとともに、故障が生じにくく、警報装置１の信頼性が高くなる。
【００４０】
また、介錯ロープ２１の中間部にロープ附属リング２４が取り付けられており、警報器２側に取り付けられた取付具２０をロープ附属リング２４に取り外し可能に接続することにより、警報器２を介錯ロープ２１に取り付けることができるので、介錯ロープ２１に対する警報器２の取り付けおよび取り外しを簡単迅速に行うことができる。
また、本実施例では、ロープ附属リング２４に介錯ロープ２１を通した上、該ロープ附属リング２４が結び目２５内に取り込まれて該結び目２５を貫通している状態となるようにして結び目２５を作ることにより、介錯ロープ２１にロープ附属リング２４が取り付けられているので、結び目２５の位置を変えることにより、介錯ロープ２１に対するロープ附属リング２４の取付位置を適宜変更できる。
【００４１】
また、ロープ附属リング２４に介錯ロープ２１を通した上、該ロープ附属リング２４が結び目２５内に取り込まれて該結び目２５を貫通している状態となるようにして結び目２５を作ることにより、介錯ロープ２１にロープ附属リング２４が取り付けられているので、結び目２５の位置を変えることにより、介錯ロープ２１に対するロープ附属リング２４の取付位置を適宜変更できる。
【００４２】
また、警報器２を網袋１３に収容し、この網袋１３を介錯ロープ２１に取り付けているので、万一、吊り荷２３の移動中に警報器２が他の物体にぶつかって破損してしまっても、介錯ロープ２１に取り付けられている網袋１３内に破片が止まり、破片が周囲に飛び散ってしまう虞がなく、より安全である。
【００４３】
さらに、本実施例では、警報器２が複数のリング３ａ〜３ｃを直列に接続してなる吊り下げリング３を介して吊り荷２３に吊り下げられるので、介錯ロープ２１に対して警報器２がある範囲で自由に回転できるため、介錯ロープ２１に吊り下げられている状態における警報器２の姿勢が安定する。
【００４４】
なお、前記実施例では、警報器２が音声警報音（音声による警報音）と非音声警報音（音声によらない警報音）との両方を発生するようになっているが、本発明においては、警報器が音声警報音または非音声警報音のいずれか一方のみを発生するようにしてもよい。また、警報器が警報音に加えて、警報光を発生するようにしてもよい。
【産業上の利用可能性】
【００４５】
以上のように本発明は、クレーン等の揚重機により吊り荷を吊り上げ移動する際、警報音を発生して注意を喚起する吊り荷警報装置および吊り荷の吊り上げ移動方法として有用である。
【符号の説明】
【００４６】
１    吊り荷警報装置
２    警報器
６    手動スイッチ
１３    網袋
２０    取付具
２１    介錯ロープ
２３    吊り荷
２４    ロープ附属リング
２５    結び目
【図１】
0005507137.tif 000002
【図２】
0005507137.tif 000003
【図３】
0005507137.tif 000004
【図４】
0005507137.tif 000005
【図５】
0005507137.tif 000006
【図６】
0005507137.tif 000007
【図７】
0005507137.tif 000008
【図８】
0005507137.tif 000009
【図９】
0005507137.tif 000010
【図１０】
0005507137.tif 000011
【図１１】
0005507137.tif 000012
【図１２】
0005507137.tif 000013
【図１３】
0005507137.tif 000014